【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
複数のドキュメントを保持するドキュメント保持手段にアクセス可能に接続されたコンピュータを、
当該保持されているドキュメントの少なくとも一部を対象ドキュメント群として選出する対象選出手段と、
当該対象ドキュメント群に含まれる個々のドキュメントから所定の単語群を抽出する単語抽出手段と、
各単語が含まれているドキュメントの数に基づいて、前記単語群に含まれる単語の少なくとも一部を検索用キーワード候補として選択する選択手段と、
として機能させ、
当該選択した検索用キーワード候補を所定の検索処理に供することを特徴とするドキュメント管理プログラム。
【請求項２】
請求項１に記載のドキュメント管理プログラムにおいて、
前記選択手段においては、前記各単語が含まれているドキュメント数が、所定の値の範囲にある場合に、前記単語群に含まれる単語の少なくとも一部を検索用キーワード候補として選択するようコンピュータを機能させることを特徴とするドキュメント管理プログラム。
【請求項３】
請求項１または２に記載のドキュメント管理プログラムにおいて、
前記選択された検索用キーワード候補を単語群に含まれる単語同士の相関値に基づいて階層的にグループ化するクラスタリング手段として、さらにコンピュータを機能させ、
当該階層的な単語グループの各階層ごとに、当該階層以下に含まれる単語が、検索条件の単位として利用者に提示されることを特徴とするドキュメント管理プログラム。
【請求項４】
請求項３に記載のドキュメント管理プログラムにおいて、
前記クラスタリング手段においては、前記検索用キーワード候補の組み合わせのうち、当該組み合わせに係る検索用キーワード候補に関係するドキュメントの検索の結果として得られるドキュメントの数が、予め定めたドキュメント数条件を満足する場合に、当該組み合わせに係る検索用キーワード候補に関係するドキュメントを検索するための単語グループを表す情報を生成させるようコンピュータを機能させることを特徴とするドキュメント管理プログラム。
【請求項５】
請求項４に記載のドキュメント管理プログラムにおいて、
前記ドキュメント数条件は、前記対象ドキュメントの数に対する、前記検索の結果として得られるドキュメントの数の割合が、予め定めた値の範囲にあるとの条件であることを特徴とするドキュメント管理プログラム。
【請求項６】
請求項５に記載のドキュメント管理プログラムにおいて、
前記値の範囲は、単語グループの階層位置に応じて異なることを特徴とするドキュメント管理プログラム。
【請求項７】
請求項３から６のいずれか一項に記載のドキュメント管理プログラムにおいて、
前記単語グループの提示時には、各単語グループに含まれる単語のいずれかを含むとの検索条件とする検索の結果得られるドキュメントの数に関する情報を併せて提示させることを特徴とするドキュメント管理プログラム。
【請求項８】
請求項１から７のいずれか一項に記載のドキュメント管理プログラムにおいて、
前記ドキュメント保持手段は、ドキュメントを分類して保持しており、前記対象選出手段は、前記分類の少なくとも一部を特定する情報の入力を受けて、当該特定された分類に含まれるドキュメントを対象ドキュメントとして選出することを特徴とするドキュメント管理プログラム。
【請求項９】
複数のドキュメントを保持するドキュメント保持手段にアクセス可能に接続されたドキュメント管理装置であって、
当該保持されている個々のドキュメントから、単語群を抽出する手段と、
各単語が含まれているドキュメントの数に基づいて、前記単語群に含まれる単語の少なくとも一部を検索用キーワード候補として選択する手段と、
を含み、
当該選択した検索用キーワード候補が所定の検索処理に供されることを特徴とするドキュメント管理装置。
【手続補正２】
【補正対象書類名】明細書
【補正対象項目名】０００６
【補正方法】変更
【補正の内容】
【０００６】
請求項１記載の発明は、ドキュメント管理プログラムであって、複数のドキュメントを保持するドキュメント保持手段にアクセス可能に接続されたコンピュータを、当該保持されているドキュメントの少なくとも一部を対象ドキュメント群として選出する対象選出手段と、当該対象ドキュメント群に含まれる個々のドキュメントから所定の単語群を抽出する単語抽出手段と、各単語が含まれているドキュメントの数に基づいて、前記単語群に含まれる単語の少なくとも一部を検索用キーワード候補として選択する選択手段と、として機能させ、当該選択した検索用キーワード候補を所定の検索処理に供することとしたものである。
【手続補正３】
【補正対象書類名】明細書
【補正対象項目名】０００７
【補正方法】変更
【補正の内容】
【０００７】
請求項２記載の発明は、請求項１に記載のドキュメント管理プログラムであって、前記選択手段においては、前記各単語が含まれているドキュメント数が、所定の値の範囲にある場合に、前記単語群に含まれる単語の少なくとも一部を検索用キーワード候補として選択するようコンピュータを機能させることとしたものである。
【手続補正４】
【補正対象書類名】明細書
【補正対象項目名】０００８
【補正方法】変更
【補正の内容】
【０００８】
請求項３記載の発明は、請求項１または２に記載のドキュメント管理プログラムにおいて、前記選択された検索用キーワード候補を単語群に含まれる単語同士の相関値に基づいて階層的にグループ化するクラスタリング手段として、さらにコンピュータを機能させ、当該階層的な単語グループの各階層ごとに、当該階層以下に含まれる単語が、検索条件の単位として利用者に提示されることとしたものである。
【手続補正５】
【補正対象書類名】明細書
【補正対象項目名】０００９
【補正方法】変更
【補正の内容】
【０００９】
請求項４記載の発明は、請求項３に記載のドキュメント管理プログラムであって、前記クラスタリング手段においては、前記検索用キーワード候補の組み合わせのうち、当該組み合わせに係る検索用キーワード候補に関係するドキュメントの検索の結果として得られるドキュメントの数が、予め定めたドキュメント数条件を満足する場合に、当該組み合わせに係る検索用キーワード候補に関係するドキュメントを検索するための単語グループを表す情報を生成させるようコンピュータを機能させることとしたものである。
【手続補正６】
【補正対象書類名】明細書
【補正対象項目名】００１０
【補正方法】変更
【補正の内容】
【００１０】
請求項５記載の発明は、請求項４に記載のドキュメント管理プログラムであって、前記ドキュメント数条件は、前記対象ドキュメントの数に対する、前記検索の結果として得られるドキュメントの数の割合が、予め定めた値の範囲にあるとの条件であることとしたものである。
【手続補正７】
【補正対象書類名】明細書
【補正対象項目名】００１１
【補正方法】変更
【補正の内容】
【００１１】
請求項６記載の発明は、請求項５に記載のドキュメント管理プログラムであって、前記値の範囲は、単語グループの階層位置に応じて異なることとしたものである。
【手続補正８】
【補正対象書類名】明細書
【補正対象項目名】００１２
【補正方法】変更
【補正の内容】
【００１２】
請求項７記載の発明は、請求項３から６のいずれか一項に記載のドキュメント管理プログラムであって、前記単語グループの提示時には、各単語グループに含まれる単語のいずれかを含むとの検索条件とする検索の結果得られるドキュメントの数に関する情報を併せて提示させることとしたものである。
【手続補正９】
【補正対象書類名】明細書
【補正対象項目名】００１３
【補正方法】変更
【補正の内容】
【００１３】
請求項８記載の発明は、請求項１から７のいずれか一項に記載のドキュメント管理プログラムであって、前記ドキュメント保持手段は、ドキュメントを分類して保持しており、前記対象選出手段は、前記分類の少なくとも一部を特定する情報の入力を受けて、当該特定された分類に含まれるドキュメントを対象ドキュメントとして選出することとしたものである。
【手続補正１０】
【補正対象書類名】明細書
【補正対象項目名】００１４
【補正方法】変更
【補正の内容】
【００１４】
請求項９記載の発明は、複数のドキュメントを保持するドキュメント保持手段にアクセス可能に接続されたドキュメント管理装置であって、当該保持されている個々のドキュメントから、単語群を抽出する手段と、各単語が含まれているドキュメントの数に基づいて、前記単語群に含まれる単語の少なくとも一部を検索用キーワード候補として選択する手段と、を含み、当該選択した検索用キーワード候補が所定の検索処理に供されることとしたものである。
【手続補正１１】
【補正対象書類名】明細書
【補正対象項目名】００１５
【補正方法】削除
【補正の内容】